(57)【要約】【課題】ハンドオーバを安定して行うこと。【解決手段】複数のチャネルを同時に受信する機能と、それぞれのチャネルを別々に切り替える機能と、それぞれの受信状態を確認する機能と、信号の誤りを検出する機能と、それぞれの受信信号から誤りのないデータを選択して合成する機能を持つ。  ハンドオーバ時に複数の受信機能が一つずつチャネルを変更し、受信状態を確認しながらハンドオーバを行う。  また、チャネルサーチ時は複数のチャネルを同時に受信し、それぞれの受信状態から候補となるチャネルを見つけることでサーチ時間を短くする。  また、ハンドオーバ時はセルの境界付近にいるので、複数の送信器がそれぞれ受信装置からみて反対方向に存在する、その両方の送信波を受信して選択合成することで、周波数と空間ダイバーシティ受信を行う。【選択図】図１
2006303664.tif 000002
【特許請求の範囲】
【請求項１】
隣接するエリアでそれぞれ異なる周波数で送信されるデジタル信号を受信する受信装置であって、
前記デジタル信号を受信する複数のアンテナと、
前記受信したそれぞれのデジタル信号から所望の周波数のデジタル信号を選局する複数の選局手段と、
前記選局されたそれぞれのデジタル信号を復調する複数の復調手段と、
前記復調されたそれぞれの信号の受信品質を検出する、複数の受信品質検出手段と、
前記複数の受信品質検出手段によって検出されたそれぞれの受信品質に応じて、複数の選局手段で選局する周波数を独立に変更する選局制御手段とを備える受信装置。
【請求項２】
前記複数の復調手段からの出力を合成して出力する請求項１に記載の受信装置。
【請求項３】
誤り検出符号を組み合わせて符号化されたデジタル信号を受信する受信装置であって、
前記デジタル信号を受信する複数のアンテナと、
前記受信したそれぞれのデジタル信号から所望の周波数のデジタル信号を選局する複数の選局手段と、
前記選局されたそれぞれのデジタル信号を復調する複数の復調手段と、
前記復調したそれぞれのデジタル信号の誤りを検出する複数の誤り検出手段と、
前記誤り検出した結果、前記複数の復調手段の出力の中から誤りのないことが確認されたデジタル信号を優先的に選択し、出力する選択手段とを備え、
複数の周波数で送信されたデジタル信号をそれぞれ受信し、誤りが検出されなかった信号を優先的に選択出力する受信装置。
【請求項４】
前記選択出力された信号を誤り訂正して出力する誤り訂正手段をさらに備え、
誤りが検出されなかった信号を優先的に選択した信号を誤り訂正して出力する請求項３に記載の受信装置。
【請求項５】
隣接するエリアでそれぞれ異なる周波数で送信されるデジタル信号を受信する受信装置であって、
前記デジタル信号を受信する複数のアンテナと、
前記受信したそれぞれのデジタル信号から必要な周波数のデジタル信号を選局する複数の選局手段と、
前記選局されたそれぞれのデジタル信号を復調する複数の復調手段と、
前記復調されたそれぞれの信号の受信状態を検出する複数の受信状態検出手段と、
前記それぞれの検出された受信状態を保存する保存手段と、
前記複数の保存された受信状態に応じて前記複数の選局手段で選局する複数の周波数を決定する選局制御手段とを備え、
前記複数の選局手段それぞれが独立して複数の周波数を選局し複数の受信状態を確認する受信装置。
【請求項６】
第一の周波数で送信されるデジタル信号の受信を継続しながら
一部のアンテナと一部の選局手段と一部の復調手段と一部の受信状態検出手段を用いて
複数の周波数を選局し複数の受信状態を確認すること請求項５に記載の受信装置。
【請求項７】
前記受信状態はＣ／Ｎであり、受信状態検出手段はＣ／Ｎ検出手段である請求項５または請求項６に記載の受信装置。
【請求項８】
前記受信状態は同期状態であり、受信状態検出手段は同期検出手段であることを特徴とする請求項５または請求項６に記載の受信装置。
【請求項９】
前記受信状態は同期状態とＣ／Ｎであり、受信状態検出手段は同期検出手段とＣ／Ｎ検出手段である請求項５または請求項６に記載の受信装置。
【請求項１０】
隣接するエリアでそれぞれ異なる周波数で送信されるデジタル信号を受信する装置の集積回路であって、
それぞれの前記デジタル信号から所望の周波数のデジタル信号を選局する複数の選局手段と、
前記選局されたそれぞれのデジタル信号を復調する複数の復調手段と、
前記復調されたそれぞれの信号の受信品質を検出する、複数の受信品質検出手段と、
前記複数の受信品質検出手段によって検出されたそれぞれの受信品質に応じて複数の選局手段で選局する周波数を独立に変更する選局制御手段とを備える集積回路。
【請求項１１】
前記複数の復調手段からの出力を合成して出力する請求項１０に記載の集積回路。
【請求項１２】
誤り検出符号を組み合わせて符号化されたデジタル信号を受信する装置の集積回路であって、
それぞれの前記デジタル信号から所望の周波数のデジタル信号を選局する複数の選局手段と、
前記選局されたそれぞれのデジタル信号を復調する複数の復調手段と、
前記復調したそれぞれのデジタル信号の誤りを検出する複数の誤り検出手段と、
前記誤り検出した結果、前記複数の復調手段の出力の中から誤りのないことが確認されたデジタル信号を優先的に選択し、出力する選択手段とを備え、
複数の周波数で送信されたデジタル信号をそれぞれ受信し、誤りが検出されなかった信号を優先的に選択出力する集積回路。
【請求項１３】
前記選択出力された信号を誤り訂正して出力する誤り訂正手段をさらに備え、
誤りが検出されなかった信号を優先的に選択した信号を誤り訂正して出力する請求項１２に記載の集積回路。
【請求項１４】
隣接するエリアでそれぞれ異なる周波数で送信されるデジタル信号を受信する装置の集積回路であって、
それぞれの前記デジタル信号から必要な周波数のデジタル信号を選局する複数の選局手段と、
前記選局されたそれぞれのデジタル信号を復調する複数の復調手段と、
前記復調されたそれぞれの信号の受信状態を検出する複数の受信状態検出手段と、
前記それぞれの検出された受信状態を保存する保存手段と、
前記複数の保存された受信状態に応じて前記複数の選局手段で選局する複数の周波数を決定する選局制御手段とを備え、
前記複数の選局手段それぞれが独立して複数の周波数を選局し複数の受信状態を確認する集積回路。
【請求項１５】
第一の周波数で送信されるデジタル信号の受信を継続しながら
一部のアンテナと一部の選局手段と一部の復調手段と一部の受信状態検出手段を用いて
複数の周波数を選局し複数の受信状態を確認する請求項１４に記載の集積回路。
【請求項１６】
前記受信状態はＣ／Ｎであり、受信状態検出手段はＣ／Ｎ検出手段である請求項１４または請求項１５に記載の集積回路。
【請求項１７】
前記受信状態は同期状態であり、受信状態検出手段は同期検出手段である請求項１４または請求項１５に記載の集積回路。
【請求項１８】
前記受信状態は同期状態とＣ／Ｎであり、受信状態検出手段は同期検出手段とＣ／Ｎ検出手段である請求項１４または請求項１５に記載の集積回路。
【発明の詳細な説明】
【技術分野】
【０００１】
本発明はＯＦＤＭ（直交周波数分割多重：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を受信する受信装置に関し、特にハンドオーバ、ダイバーシティ受信に関する。
【背景技術】
【０００２】
近年世界各国で、ＯＦＤＭを使用したデジタル放送や、無線ＬＡＮの使用が、はじまっており、次世代携帯電話にもＯＦＤＭ技術が使用されようとしている。日本ではＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）方式による地上デジタルテレビ放送が開始されており、中国ではＤＭＢ−Ｔ（Ｄｉｇｉｔａｌ  Ｍｕｌｔｉｍｅｄｉａ  Ｂｒｏａｄｃａｓｔ−Ｔｅｒｒｅｓｔｒｉａｌ）方式が策定されようとしている。また、特に欧州を中心とした地域ではＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）方式を用いた放送が開始されている。さらに、このＤＶＢ−Ｔ方式をベースにして、携帯端末へのサービスを前提とした、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）方式が策定されており、近く放送が開始されようとしている。これらのデジタル放送を移動中に受信するには、ある送信機でカバーされるセルから別の送信機でカバーされるセルに移動する際のハンドオーバを、安定して途切れないように行うことが必要となる。特にＤＶＢ−Ｈ方式では移動体での受信を重要視しており、スムーズなハンドオーバの実現が望まれている。
【０００３】
特許文献１では図６に示すフローチャートのように、受信状態がある閾値より悪くなれば他のチャネルを受信し、その受信状態が良ければ、そのチャネルに変更することでハンドオーバを実現している。
【０００４】
また、固定受信端末の設置時や、移動受信端末の電源投入時など、現在地で受信可能な放送がどのチャネルで行われているかが判断できない場合に、全チャネルサーチを行う。図５に示すフローチャートのように、全チャネルを一つずつ全て受信し、どのチャネルで放送が行われているかのサーチを行っている。
【０００５】
また、ハンドオーバが行われるのはセルの境界付近であり、この境界付近は受信しているチャネルの電界強度が低下していて受信状態が良くない。受信状態を改善する方法として、ダイバーシティ受信が知られている。特にＯＦＤＭを使った方式では、マルチキャリアであることを利用して、キャリアごとにダイバーシティ受信を行うことができる。
【０００６】
特許文献２と特許文献３では、図２に示すようなキャリア合成ダイバーシティを行うことで、受信状態を改善している。第１の系２０１、第２の系２１１で、それぞれ同じ送信機から送信された同じチャネルのＯＦＤＭ信号を受信し、それぞれ処理を行い、検波部２０５、検波部２１５での信号を検波しキャリア毎の信頼性を見積もる。これらをキャリア合成部２０６で、それぞれのキャリアの信頼性に応じて一つに合成して、誤り訂正部２０７で誤り訂正を行いバックエンドに出力している。
【０００７】
また、周波数選択性妨害を低減するために、複数の周波数で同じ番組を送信する周波数ダイバーシティ方式が知られている。特許文献４では同じ方向から複数の周波数で、同じ番組を送信する周波数ダイバーシティ方式を行っている。また特許文献５では、同じチャネル内で複数の番組を放送する周波数ダイバーシティ方式を行っている。これらは図９に示すように、送信アンテナ９０１から送信される周波数ｆ１のチャネルの信号と、周波数ｆ２の信号を、周波数ダイバーシティ受信端末９０３で受信し、合成を行う。
【特許文献１】国際公開第０３／０７３７７４号パンフレット
【特許文献２】特許第３３７７３６１号公報
【特許文献３】特許第３３８９１７８号公報
【特許文献４】特許第３０２２８６５号公報
【特許文献５】特許第３１１２６５９号公報
【発明の開示】
【発明が解決しようとする課題】
【０００８】
しかしながら、上記従来の構成では、ハンドオーバが発生するのは受信状態が不安定なエリア境界なので、山や建造物などによりそれぞれのエリアの電波状態が激しく変化する。そのためハンドオーバを頻繁に繰り返し、受信の中断が頻発する。
【０００９】
また、受信を継続している場合には、周辺のセルでどのような放送が行われているかを通知する情報（ＮＩＴ：Ｎｅｔｗｏｒｋ  Ｉｎｆｏｒｍａｔｉｏｎ  Ｔａｂｌｅ）などから、どのチャネルでどのような放送サービスが行われているかを判断することができる。しかしこれらの情報を使えないとき、例えば電源投入時や長期間電波が受信できない場所から復帰したときなどは、チャネルサーチを行い、どのチャネルでどのような放送が行われているかを調べる必要がある。このときチャネルを一つずつ全てサーチするので時間を要するという課題を有していた。
【００１０】
また、従来のキャリア合成ダイバーシティ受信では、キャリア毎の信頼性を推定して合成しているが、各キャリアの信号振幅やコンスタレーションの分散から信頼性を「予想」しているにすぎず、必ずしも受信誤りの発生を少なくする合成ができているわけではないという課題を有していた。
【００１１】
また、図１０に示すように、同一方向の送信アンテナ９０１から周波数ｆ１と周波数ｆ２の信号を送信し、周波数ダイバーシティを行っている場合に、周波数ダイバーシティ受信機９０３が移動中に山やビルなどの遮蔽物９０４の陰に入ると、複数の周波数の送信波が両方ともさえぎられ、受信できなくなり、周波数ダイバーシティ効果がないという問題がある。
【００１２】
本発明は、上記の従来の課題を解決するもので、ハンドオーバを頻発に繰り返して、受信の中断が頻発することなくハンドオーバを行う受信装置を提供することを目的とする。
【００１３】
さらに、短い時間で全チャネルサーチを完了できる受信装置を提供することを目的とする。さらに受信誤りの発生を少なくするダイバーシティ受信を行う受信装置を提供することを目的とする。
【００１４】
さらに、移動中に山やビルなどの遮蔽物に送信波がさえぎられるような環境でも安定して受信することができる受信装置を提供することを目的とする。
【課題を解決するための手段】
【００１５】
上記従来の課題を解決するために、本発明の受信装置は、複数のチャネルを同時に受信する機能と、それぞれのチャネルを独立して切り替える機能と、それぞれの受信状態を確認する機能と、信号の誤りを検出する機能と、それぞれの受信信号から誤りのないデータを選択して合成する機能を有する。
【００１６】
ハンドオーバ時に複数の受信機能が、一つずつチャネルを変更し、受信状態を確認しながらハンドオーバを行う。
【００１７】
また、チャネルサーチ時は複数のチャネルを同時に受信し、それぞれの受信状態から候補となるチャネルを見つけることで、サーチ時間を短くする。
【００１８】
また、ハンドオーバ時は複数の送信器がそれぞれ受信装置からみて反対方向に存在するので、その両方の送信波を受信して合成することで、周波数と空間ダイバーシティ受信を行う。
【００１９】
本構成によって、移動体受信でハンドオーバが頻発に発生して受信の中断が頻発することなくハンドオーバを行う受信装置を実現することができる。さらに、短い時間でチャネルサーチを完了できる受信装置を実現することができる。
【００２０】
さらに、受信誤りの発生を少なくすることができる受信装置を実現することができる。
【発明の効果】
【００２１】
本発明の受信装置によれば、ハンドオーバ時に一つ系毎にチャネルを変更し、受信状態を確認しながらハンドオーバを行うことで、ハンドオーバが頻発に発生して受信の中断が頻発することのない、ハンドオーバを実現することができる。
【００２２】
また、チャネルサーチ時は複数のチャネルを同時に受信し、それぞれの受信状態から候補となるチャネルを見つけることで、サーチ時間を短くすることができる。
【００２３】
また、複数のチャネルそれぞれの、受信信号の誤り検出を行い、誤りのないことを確認できたデータを選択合成することで、受信誤りの発生を少なくすることができる。
【００２４】
また、ハンドオーバ時はセルの境界付近にいるので複数の送信器がそれぞれ受信装置からみて反対方向に存在するので、その両方の送信波を受信して選択合成する。こうすることで周波数と空間ダイバーシティ効果が得られるので、片方の送信波が山やビルで遮られても安定して受信することができる。
【発明を実施するための最良の形態】
【００２５】
以下本発明の実施の形態について、図面を参照しながら説明する。
【００２６】
（実施の形態１）
図１は、本発明の実施の形態１における、ＤＶＢ−Ｈ受信装置のフロントエンド部分のブロック図である。映像や音声信号の復号や映像表示装置、音声再生装置などを行うバックエンドについては説明を省略する。
【００２７】
図１に示す受信装置はダイバーシティ受信を行うために、伝送信号の選択、検波、誤り訂正などを行う第１の系１００と第二の系１０１を持ち、それぞれの系でそれぞれ独立に選局したチャネルの信号を受信し、フレーム合成部１３０で合成しＭＰＥ−ＦＥＣＲＳ訂正部１３１でＤＶＢ−ＨのＭＰＥ−ＦＥＣのＲＳ（Ｒｅｅｄ  Ｓｏｌｏｍｏｎ）復号を行い、バックエンドに出力する。
【００２８】
次に第１の系１００について説明する。ＯＦＤＭ信号をアンテナ１１０で受け、チューナ部１１１で受信したいチャネルを選局し、ダウンコンバートする。選局するチャネルは選局制御部１４０から指示される。チューナ部１１１の出力は、ＦＦＴ部１１３と同期部１１２に送られ、ＦＦＴ部１１３でフーリエ変換を行い、時間領域から周波数領域に信号を変換する。このＦＦＴ部１１３の出力も同期部１１２に入力され、時間軸同期と周波数同期を行う。同期部１１２での同期結果は同期状態検出部１１７に送られ、受信した信号の種別（伝送モード、ガードインターバル長、同期の安定度など）を判断し選局制御部１４０に送られる。次にＦＦＴ部１１３で周波数領域に変換された信号は、検波部１１４に送られ検波処理を行う。この検波処理中の信号をＣ／Ｎ測定部１１８に送り、Ｃ／Ｎを測定して、その結果を選局制御部１４０に送る。検波部１１４で検波した結果は誤り訂正部１１５に送られ、デインタリーブ、誤り訂正などを行い、ＴＳ（Ｔｒａｎｓｐｏｒｔ  Ｓｔｒｅａｍ）信号を生成する。このＴＳ信号をＣＲＣチェック部１１６に入力する。このＴＳ信号はパケットごとに誤り検出符合であるＣＲＣ（Ｃｙｃｌｉｃ  Ｒｅｄｕｎｄａｎｃｙ  Ｃｈｅｃｋ）が使用されており、ＣＲＣチェック部１１６ではこのＣＲＣを使って受信したパケットに誤りがあるかないかを判定し、パケットに誤りが検出されたかどうかのラベル付けをして、フレーム合成部１３０へ出力する。
【００２９】
第２の系１０１も次に説明するように第１の系１００と同様な処理を行う。ＯＦＤＭ信号をアンテナ１２０で受け、チューナ部１２１で受信したいチャネルを選局し、ダウンコンバートする。選局するチャネルは選局制御部１４０から指示される。チューナ部１２１の出力はＦＦＴ部１２３と同期部１２２に送られ、ＦＦＴ部１２３でフーリエ変換を行い、時間領域から周波数領域に信号を変換する。このＦＦＴ部１２３の出力も同期部１２２に入力され、時間軸同期と周波数同期を行う。同期部１２２での同期結果は同期状態検出部１２７に送られ、受信した信号の種別（伝送モード、ガードインターバル長、同期の安定度など）を判断し選局制御部１４０に送られる。次にＦＦＴ部１２３で周波数領域に変換された信号は、検波部１２４に送られ検波処理を行う。この検波処理中の信号をＣ／Ｎ測定部１２８に送り、Ｃ／Ｎを測定して、その結果を選局制御部１４０に送る。検波部１２４で検波した結果は誤り訂正部１２５に送られ、デインタリーブ、誤り訂正などを行い、ＴＳ（Ｔｒａｎｓｐｏｒｔ  Ｓｔｒｅａｍ）信号を生成する。このＴＳ信号をＣＲＣチェック部１２６に入力する。このＴＳ信号はパケットごとに誤り検出符合であるＣＲＣ（Ｃｙｃｌｉｃ  Ｒｅｄｕｎｄａｎｃｙ  Ｃｈｅｃｋ）が使用されており、ＣＲＣチェック部１２６では、このＣＲＣを使って受信したパケットに誤りがあるかないかを判定し、パケットに誤りが検出されたかどうかのラベル付けをして、フレーム合成部１３０へ出力する。
【００３０】
選局制御部１４０は第１の系１００の同期状態検出部１１７、Ｃ／Ｎ測定部１１８と第２の系１０１の同期状態検出部１２７、Ｃ／Ｎ測定部１２８の出力を受け取り、メモリ部１４１に各チャネルの情報を記録、読み出しを行い、第１の系１００と第２の系１０１で受信すべきチャネルをそれぞれ判断しチューナ部１１１とチューナ部１２１に選局信号を送り、チャネルを切り替える。
【００３１】
フレーム合成部１３０は、第一の系１００と第２の系１０１から出力されるＴＳ信号内のパケットで誤りが検出されなかったパケットを選択して、ＭＰＥ−ＦＥＣのＲＳ訂正を行う。
【００３２】
次に、隣り合うサービスエリアで同じ内容の放送が、異なった周波数のチャネルで送信されている環境で、移動する受信装置がハンドオーバする動作について説明する。図８は、本発明の実施の形態１におけるＤＶＢ−Ｈ受信装置８０３が、サービスエリアをまたがって移動しながら受信する環境を図示したものである。送信アンテナ８０１から周波数ｆ１のチャネルで放送される信号を、送信アンテナ８０１の近くで受信している場合には、ＤＶＢ−Ｈ受信装置８０３はｆ１の周波数のチャネルのみ受信する。ＤＶＢ−Ｈ受信装置８０３が送信アンテナ８０２に方に移動して、送信アンテナ８０１からの信号が弱くなってくると、ＤＶＢ−Ｈ受信装置８０３は、送信アンテナ８０１から送信される周波数ｆ１のチャネルと送信アンテナ８０２から送信される周波数ｆ２のチャネルの両方を受信して合成する。このように複数の方向の信号を受信しているため、ＤＶＢ−Ｈ受信装置８０３が遮蔽物８０４の陰に入って、送信アンテナ８０１からの信号が受信できなくなっても、送信アンテナ８０２からの信号は受信できるため、受信が途切れることがない。さらにＤＶＢ−Ｈ受信装置８０３が送信アンテナ８０２の近くに移動すれば、ＤＶＢ−Ｈ受信装置８０３は送信アンテナ８０２から送信される周波数ｆ２のチャネルのみを受信する。図１と図６で、これらの動作の流れを説明する。受信状態が悪化してくると、通常サービスエリアの境界にきたと考えられるので、ハンドオーバを行う。周辺のセルでどんな放送が行われているかはＥＰＧ（Ｅｌｅｃｔｒｉｃ  Ｐｒｏｇｒａｍ  Ｇｕｉｄｅ）やＮＩＴや電源投入時など事前に行っているチャネルサーチ（具体的な動作は後で説明する）でわかっているので、これらの情報から図６の５０１でハンドオーバ候補となるチャネルを決定する。次に図１の第１の系１００と第２の系１０１のどちらの受信状態が悪いかを選局制御部１４０が判定し図６の５０２に示すように受信状態の悪いほうの系のチューナを制御し、ハンドオーバ候補となるチャネルを選局し、受信状態の良いほうの系はそのまま受信を継続する。５０３ではこの結果受信状態が良くなったかどうかを図１の選局制御部１４０が判断し、悪ければ図６の５０１に戻り、良ければ５０４でハンドオーバ候補のチャネルを受信する。このとき５０２で受信状態の良かった系は、そのままハンドオーバ前のチャネルを受信しているが、このままそれぞれの系で別々のチャネルを選局して、受信することになる。このように片方の系毎にハンドオーバを行うことにより、サービスエリア境界付近で、片方の信号が受信できなくなっても、安定したハンドオーバを行うことができる。
【００３３】
次に、電源投入時や、受信装置が移動して長いトンネル内から出た場合などに行うチャネルサーチの動作について図１と図４を用いて説明する。図１に示すダイバーシティ受信装置では第２の系１０１は使わずに第１の系１００とフレーム合成部１３０、ＭＰＥ−ＦＥＣＲＳ訂正部１３１とバックエンドのみで、送信信号を受信して復号し、番組情報を取り出すことができる。また第２の系１０１だけでも放送信号を受信し、同期状態を確認し、Ｃ／Ｎを測定することができる。よって第１の系で、あるチャネルの放送を確認すると同時に、第２の系で別のチャネルを選局し、デジタル放送がどのような伝送モード、ガードインターバル、Ｃ／Ｎで受信可能であるかを確認することができる。このことを利用したチャネルサーチの動作を図４に示す。チャネルサーチを開始すると、４０２で図１の第１の系１００を使ってあるチャネルを受信し放送内容を確認する。同時に図４の４０３では図１の第２の系１０１を使って、別のチャネルを受信し、同期状態検出部１２７とＣ／Ｎ測定部１２８を使って、デジタル放送がどのような伝送モード、ガードインターバル、Ｃ／Ｎで受信可能であるかを検出し、選局制御部１４０に伝え、メモリ１４１に記録していく。図４にもどり４０４で全チャネル確認完了するまで４０２、４０３に戻り、すべてのチャネルを確認する。これらが完了したら４０３で「デジタル放送が行われている」と記録されたチャネルのみを受信して復号し、放送内容を確認する。このようにすることで、すべてのチャネルサーチに要する時間を短縮することができる。
【００３４】
なお、図１において第１の系１００で放送の受信を継続しながら、第２の系１０１で別のチャネルの状態を確認できることはいうまでもない。
【００３５】
また、図１においてアンテナ１１０、アンテナ１２０を除く各ブロック、またはアンテナ１１０、アンテナ１２０に加えてチューナ部１１１、チューナ部１２１も除く各ブロックの全部または一部は典型的には集積回路であるＬＳＩとして実現される。ここではＬＳＩとしたが、集積度の違いにより、ＩＣ、システムＬＳＩ、スーパーＬＳＩ、ウルトラＬＳＩと呼称されることもある。
【００３６】
また、集積回路化の手法はＬＳＩに限るものではなく、専用回路または汎用プロセサ、ＤＳＰで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【００３７】
さらには、半導体技術の進歩又は派生する別技術によりＬＳＩに置き換わる集積回路化の技術が登場すれば、当然、その技術を用いて機能ブロックの集積化を行ってもよい。バイオ技術、量子技術の適応等が可能性としてありえる。
【００３８】
（実施の形態２）
図３は、本発明の実施の形態２における、ＤＶＢ−Ｈ受信装置のフロントエンド部分のブロック図である。映像や音声信号の復号や映像表示装置、音声再生装置などを行うバックエンドについては説明を省略する。
【００３９】
図３に示す受信装置は、ダイバーシティ受信を行うために伝送信号の選択、検波などを行う第１の系３００と第二の系３０１を持ち、それぞれの系でそれぞれ独立に選局したチャネルの信号を受信し、キャリア合成部３３０で合成し、誤り訂正部３３１で誤り訂正を行い、バックエンドに出力する。
【００４０】
次に第１の系３００について説明する。ＯＦＤＭ信号をアンテナ３１０で受け、チューナ部３１１で受信したいチャネルを選局し、ダウンコンバートする。選局するチャネルは選局制御部３４０から指示される。チューナ部３１１の出力は、ＦＦＴ部３１３と同期部３１２に送られ、ＦＦＴ部３１３でフーリエ変換を行い、時間領域から周波数領域に信号を変換する。このＦＦＴ部３１３の出力も同期部３１２に入力され、時間軸同期と周波数同期を行う。同期部３１２での同期結果は同期状態検出部３１５に送られ、受信した信号の種別（伝送モード、ガードインターバル長、同期の安定度など）を判断し選局制御部３４０に送られる。次にＦＦＴ部３１３で周波数領域に変換された信号は、検波部３１４に送られ検波処理を行う。この検波処理中の信号をＣ／Ｎ測定部３１６に送り、Ｃ／Ｎを測定して、その結果を選局制御部３４０に送る。検波部３１４で検波した結果は、Ｃ／Ｎ測定部３１６で測定されたキャリア毎のＣ／Ｎとともに、キャリア合成部３３０へ出力する。
【００４１】
第２の系３０１も次に説明するように第１の系３００と同様な処理を行う。ＯＦＤＭ信号をアンテナ３２０で受け、チューナ部３２１で受信したいチャネルを選局し、ダウンコンバートする。選局するチャネルは選局制御部３４０から指示される。チューナ部３２１の出力は、ＦＦＴ部３２３と同期部３２２に送られ、ＦＦＴ部３２３でフーリエ変換を行い、時間領域から周波数領域に信号を変換する。このＦＦＴ部３２３の出力も同期部３２２に入力され、時間軸同期と周波数同期を行う。同期部３２２での同期結果は同期状態検出部３２５に送られ、受信した信号の種別（伝送モード、ガードインターバル長、同期の安定度など）を判断し選局制御部３４０に送られる。次にＦＦＴ部３２３で周波数領域に変換された信号は、検波部３２４に送られ検波処理を行う。この検波処理中の信号をＣ／Ｎ測定部３２６に送り、Ｃ／Ｎを測定して、その結果を選局制御部３４０に送る。検波部３２４で検波した結果は、Ｃ／Ｎ測定部３２６で測定されたキャリア毎のＣ／Ｎとともに、キャリア合成部３３０へ出力する。
【００４２】
選局制御部３４０は第１の系３００の同期状態検出部３１５、Ｃ／Ｎ測定部３１６と第２の系３０１の同期状態検出部３２５、Ｃ／Ｎ測定部３２６の出力を受け取り、メモリ部３４１に各チャネルの情報を記録、読み出しを行い、第１の系３００と第２の系３０１で受信すべきチャネルをそれぞれ判断し、チューナ部３１１とチューナ部３２１に選局信号を送り、チャネルを切り替える。
【００４３】
キャリア合成部３３０は、第一の系３００と第２の系３０１から出力される信号を、それぞれのキャリア毎のＣ／Ｎ測定結果を元に合成する。
【００４４】
なお本実施の形態２でも実施の形態１と同様に、安定したハンドオーバ動作を行い、短時間でチャネルサーチを行い、第１の系で受信継続中に第２の系で他のチャネルの受信状態を確認できることはいうまでもない。
【００４５】
また、図３においてアンテナ３１０、アンテナ３２０を除く各ブロック、またはアンテナ３１０、アンテナ３２０に加えてチューナ部３１１、チューナ部３２１も除く各ブロックの全部または一部は典型的には集積回路であるＬＳＩとして実現される。ここではＬＳＩとしたが、集積度の違いにより、ＩＣ、システムＬＳＩ、スーパーＬＳＩ、ウルトラＬＳＩと呼称されることもある。
【００４６】
また、集積回路化の手法はＬＳＩに限るものではなく、専用回路または汎用プロセサ、ＤＳＰで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【００４７】
さらには、半導体技術の進歩又は派生する別技術によりＬＳＩに置き換わる集積回路化の技術が登場すれば、当然、その技術を用いて機能ブロックの集積化を行ってもよい。バイオ技術、量子技術の適応等が可能性としてありえる。
【産業上の利用可能性】
【００４８】
本発明の安定してハンドオーバする技術は、ＯＦＤＭ信号を受信する端末に適用することができる。
【図面の簡単な説明】
【００４９】
【図１】本発明の実施の形態１を示すブロック図
【図２】従来のダイバーシティ受信を示すブロック図
【図３】本発明の実施の形態２を示すブロック図
【図４】本発明のチャネルサーチの手順を示すフローチャート
【図５】従来のチャネルサーチの手順を示すフローチャート
【図６】本発明のハンドオーバの手順を示すフローチャート
【図７】従来のハンドオーバの手順を示すフローチャート
【図８】本発明の受信環境を示す図
【図９】従来の周波数ダイバーシティ受信環境を示す図
【図１０】従来の周波数ダイバーシティ受信環境に遮蔽物がある場合を示す図
【符号の説明】
【００５０】
１００    第１の系
１０１    第２の系
１１０    アンテナ
１１１    チューナ部
１１２    同期部
１１３    ＦＦＴ部
１１４    検波部
１１５    誤り訂正部
１１６    ＣＲＣチェック部
１１７    同期状態検出部
１１８    Ｃ／Ｎ測定部
１２０    アンテナ
１２１    チューナ部
１２２    同期部
１２３    ＦＦＴ部
１２４    検波部
１２５    誤り訂正部
１２６    ＣＲＣチェック部
１２７    同期状態検出部
１２８    Ｃ／Ｎ測定部
１３０    フレーム合成部
１３１    ＭＰＥ−ＦＥＣＲＳ訂正部
１４０    選局制御部
１４１    メモリ部
２０１    第１の系
２０５    検波部
２０６    キャリア合成部
２０７    誤り訂正部
２１１    第２の系
２１５    検波部
３００    第１の系
３０１    第２の系
３１０    アンテナ
３１１    チューナ部
３１２    同期部
３１３    ＦＦＴ部
３１４    検波部
３１５    同期状態検出部
３１６    Ｃ／Ｎ測定部
３２０    アンテナ
３２１    チューナ部
３２２    同期部
３２３    ＦＦＴ部
３２４    検波部
３２５    同期状態検出部
３２６    Ｃ／Ｎ測定部
３３０    キャリア合成部
３３１    誤り訂正部
４０１    サーチ手順
４０２    第１の系サーチ手順
４０３    第２の系サーチ手順
４０４    全チャネル確認判定手順
４０５    記録チャネル確認手順
５０１    候補チャネル決定手順
５０２    選局手順
５０３    受信状態判断手順
５０４    ハンドオーバ決定手順
８０１    送信アンテナ
８０２    送信アンテナ
８０３    受信装置
８０４    遮蔽物
９０１    送信アンテナ
９０３    受信装置
９０４    遮蔽物
【図１】
2006303664.tif 000003
【図２】
2006303664.tif 000004
【図３】
2006303664.tif 000005
【図４】
2006303664.tif 000006
【図５】
2006303664.tif 000007
【図６】
2006303664.tif 000008
【図７】
2006303664.tif 000009
【図８】
2006303664.tif 000010
【図９】
2006303664.tif 000011
【図１０】
2006303664.tif 000012